(57)【特許請求の範囲】
【請求項１】
屋根軒先の下方に設けられた軒樋の水切り構造であって、軒先部から延設される垂下水切り部と、被取着面に固定され軒樋を吊支する軒樋吊り具と、両者の間に架設される雨水飛散防止シートとからなり、上記垂下水切り部の下端は折り返えして係止片とされるとともに、この係止片と上記雨水飛散防止シートの上部とはクリップ部材を介して着脱自在に係合し、該雨水飛散防止シートの略中央部ないし下部は上記軒樋吊り具の上面部に設けられた係止部に着脱自在に係合し、且つ、上記雨水飛散防止シートを上記軒先と軒樋との間の空間を覆うように軒樋内に延出してなる軒樋水切り構造。
【請求項２】
上記軒樋吊り具は、被取着面に固着される固定板部と軒樋を吊り下げ支持する軒樋吊支部とから構成されるとともに、上記係止部が軒樋吊支部の上面に設けられてなる請求項１に記載の軒樋水切り構造。
【請求項３】
上記クリップ部材が略Ｌ字形のベース部と上記係止片と着脱自在に係合するフック部と雨水飛散防止シートの上部に設けられた係止孔と着脱自在に係合する突出係止部とからなる請求項１に記載の軒樋水切り構造。
【請求項４】
上記雨水飛散防止シートが柔軟性シートからなる請求項１に記載の軒樋水切り構造。
【請求項５】
上記柔軟性シートが合成樹脂から形成されたネット体である請求項４に記載の軒樋水切り構造。
【発明の詳細な説明】
【技術分野】
【０００１】
本願発明は、軒樋に取り付けられ、強風時の横殴りの雨や、軒樋から跳ね返った雨水が軒先の裏側へ浸入、飛散し、鼻隠し板等が湿気により傷んだり、腐食することを防止するための軒樋水切り構造に関するものである。
【背景技術】
【０００２】
建物の屋根に降った雨水は、軒先に取り付けられた軒樋に流れて、集水ます等を経て縦樋等の排水経路を経て排出される。通常、屋根の先端部から落下する雨水は、軒樋に流れ込み、上記のようにして排水されるが、大雨の際等、水勢が強いときや横殴りの風がある場合、軒樋から跳ね返り、あるいは溢れた雨水は鼻隠し板側に回り込み、飛散して鼻隠し板等を湿気により損傷させ、駆体の一部である軒先部を腐食させる原因となる。
【０００３】
上記した問題を解決するため、特開２００７−２５５００１号公報には、簡単な構造で軒樋の位置を上下方向に調整可能とするとともに、雨水の飛散防止を図られた軒樋取付具が提案されている。
【０００４】
上記軒樋取付具は、上記公報の図１、図２、図３に示すように、鼻板等の軒先部材の前面に固定される固定板と該固定板に取り付けられる軒樋吊り具とこの軒樋吊り具の上方に支持されるカバー体とから構成されている。軒樋吊り具は、固定板に挿入して固定される保持部材と、軒樋の耳部を抱持して軒樋を保持する軒樋吊持部材とを備えている。軒樋吊持部材の上部中央には、高さ調整棹が立設されるとともに、保持部材には高さ調整棹の装着孔が形成され、軒樋吊持部材は保持部材に、位置決めクリップを用いて高さ調整可能に支持されている。また、高さ調整棹の上部には、軒樋吊り具の上部を覆う前記カバー体が取り付けられている。
【０００５】
上記カバー体は金属製の帯状鋼部材で形成され、幅方向の両側が上方に屈曲され、高さ調整棹の上端部に、網状部分を通して装着される鋲部によって取り付けられることにより、屋根部材から延設される水切りや、瓦の下方に配設され、上記水切りや、瓦から落下する雨水を良好に受け、網状部材を伝って軒樋に落下させることができる。そのため、雨水の飛散を有効に防止することが可能となり、また、カバー体が軒樋吊り具の上方を広く覆うことから、落ち葉等が軒樋に落下することを防止できると、その効果が述べられている。
【特許文献１】特開２００７−２５５００１号公報
【発明の開示】
【発明が解決しようとする課題】
【０００６】
しかしながら、上記した特許文献１に記載の技術においては、カバー体は軒樋吊り具の上方に支持される構造とされているため、積雪の重みや、強風に耐えられるとは必ずしもいえず、思いがけない外力によりカバー体が外れるという問題がある。また、上記カバー体に直接当たり、跳ね返された雨水が軒先部に飛散して駆体部を損傷させるという問題もある。
【０００７】
本願発明は、上記背景技術に鑑みてなされたものであり、その目的は、鼻隠し板に近付けて取り付けられた軒樋に用いられ、強風の時、あるいは暴風雨の時の横殴りの雨や軒樋からの跳ね返り水が鼻隠し板側に回り込んで鼻隠し板等が損傷することを防ぎ、駆体の一部である軒先部を腐食から保護することのできる軒樋水切り構造を提供することである。
【課題を解決するための手段】
【０００８】
上記課題を解決するために、本願請求項１記載の発明に係る軒樋水切り構造は、屋根軒先の下方に設けられた軒樋の水切り構造であって、軒先部から延設される垂下水切り部と、被取着面に固定され軒樋を吊支する軒樋吊り具と、両者の間に架設される雨水飛散防止シートとからなり、上記垂下水切り部の下端は折り返えして係止片とされるとともに、この係止片と上記雨水飛散防止シートの上部とはクリップ部材を介して着脱自在に係合し、該雨水飛散防止シートの略中央部ないし下部は上記軒樋吊り具の上面部に設けられた係止部に着脱自在に係合し、且つ、上記雨水飛散防止シートを上記軒先と軒樋との間の空間を覆うように軒樋内に延出してなることを特徴としている。
【０００９】
本願請求項２記載の発明は、上記請求項１記載の軒樋水切り構造において、上記軒樋吊り具は、被取着面に固着される固定板部と軒樋を吊り下げ支持する軒樋吊支部とから構成されるとともに、上記係止部が軒樋吊支部の上面に設けられてなることを特徴としている。上記固定板部と軒樋吊支部と係止部とは、通常、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などの弾性を有する合成樹脂から一体的に成形したものが用いられる。
【００１０】
本願請求項３記載の発明は、上記請求項１記載の軒樋水切り構造において、上記クリップ部材が略Ｌ字形のベース部と上記係止片と着脱自在に係合するフック部と雨水飛散防止シートの上部に設けられた係止孔と着脱自在に係合する突出係止部とからなることを特徴としている。
【００１１】
本願請求項４記載の発明は、上記請求項１記載の軒樋水切り構造において、上記雨水飛散防止シートが柔軟性シートであることを特徴としている。該柔軟性シートは、通常、柔軟性と共に伸縮性を有する合成樹脂をシート状に成形したものが好ましく用いられる。
【００１２】
本願請求項５記載の発明は、上記請求項４記載の軒樋水切り構造において、上記柔軟性シートが合成樹脂から形成されたネット体であることを特徴としている。
【発明の効果】
【００１３】
本願請求項１記載の発明に係る軒樋水切り構造においては、垂下水切り部と軒樋吊り具と、両者の間に架設される雨水飛散防止シートとからなるため、軒先部と一体感のあるデザインとするように軒先側に近付けて取り付けられた軒樋を、上記垂下水切り部の下部を構成するように延設された上記雨水飛散防止シートが軒樋吊り具の上面に設けられた係止部に係止され、且つ、上記雨水飛散防止シートを軒先と軒樋との間を覆うように軒樋内下方に延出することにより、横殴りの雨や跳ね返り水が鼻隠し板の裏に回ることを防ぎ、軒先部の腐食を防止することができる。
【００１４】
また、上記垂下水切り部の下端は折り返えして係止片とされるとともに、この係止片と上記雨水飛散防止シートの上部とはクリップ部材を介して着脱自在に係合し、該雨水飛散防止シートの下部は上記軒樋吊り具の上面部に設けられた係止部に着脱自在に係合するため、不要の際や、軒樋内の掃除の際は、該雨水飛散防止シートを簡単に取り外すことができる。
【００１５】
本願請求項２記載の発明に係る軒樋水切り構造においては、特に、上記軒樋吊り具は、被取着面に固着される固定板部と軒樋を吊り下げ支持する軒樋吊支部とから構成され、上記係止部が軒樋吊支部の上面に設けられてなるため、軒樋をその前耳部と後耳部とをしっかりと掛止して吊り下げ支持するとともに、上記係止部が雨水飛散防止シートの略中央部ないし下部を係止することにより、強風等により、雨水飛散防止シートが外れたり、脱落することを防ぐ。
【００１６】
本願請求項３記載の発明に係る軒樋水切り構造においては、特に、上記クリップ部材が略Ｌ字形のベース部と上記係止片と着脱自在に係合するフック部と柔軟性シートの上部に設けられた係止孔と着脱自在に係合する突出係止部とからなり、このクリップ部材を介して垂下水切り部の係止片と雨水飛散防止シートの上部とが着脱自在に係合して、垂下水切り部と雨水飛散防止シートとが一体的に構成されて軒先部と軒樋内との空間を覆い、横殴りの雨や跳ね返り水が鼻隠し板の裏に回ることを防ぐ。
【００１７】
本願請求項４記載の発明に係る軒樋水切り構造においては、特に、上記雨水飛散防止シートが柔軟性シートからなるため、例えば、該柔軟性シートを合成ゴムから形成することにより、柔軟性と伸縮性とを併せ持ち、上記係止部との着脱を容易に行うことが可能となり、かつ、軒先と軒樋との間の空間を覆うように垂下水切り部と軒樋吊り具との間に架設することができる。
【００１８】
本願請求項５記載の発明に係る軒樋水切り構造においては、特に、上記柔軟性シートを合成樹脂から形成されたネット体とすることにより、ネット体の網目が被係止部として機能し、この網目がクリップ部の突出係止部や、吊支部本体の上面に設けられた係止部に容易に係止される。また、容易に脱着することも可能であり、軒樋にゴミや落ち葉等が堆積したとき等は、簡単に取り外して軒樋の内部を掃除することができる。
【発明を実施するための最良の形態】
【００１９】
図１は、本願発明に係る軒樋水切り構造の主体を構成する軒樋吊り具Ａを示す斜視図である。図１に示すように、上記軒樋吊り具Ａは、鼻隠し板等の被取着面に固着される固定板部１と図外軒樋を支持する軒樋吊支部２とから構成される。上記固定板部１には鼻隠し板等の被取着面に固着するためのビス９が挿通する固定用ビス孔１１が設けられている。また、上記軒樋吊支部２は、上記固定板部１に連結される吊支部本体２１と補強部２２とを含んでなり、該吊支部本体２１は図外軒樋の前耳部を掛止する前耳掛止部２１１と図外軒樋の後耳部を掛止する後耳掛止部２１２とから構成されるとともに、吊支部本体２１の上面には後記する雨水飛散防止シート５の略中央部ないし下部を係止する係止部３が設けられている。
【００２０】
図２は、軒先部から延設される垂下水切り部４と軒樋吊り具Ａと、それらの間に架設される雨水飛散防止シート５としての柔軟性シートとからなる本願発明に係る軒樋水切り構造を示す部分断面側面図である。図２に示すように、上記垂下水切り部４の下端は折り返して係止片４１とされ、この係止片４１と雨水飛散防止シート５とはクリップ部材６を介し、その上部５１に設けられた孔部を通して着脱自在に係合し、また、吊支部本体２１の上面に設けられた係止部３と上記雨水飛散防止シート５の略中央部５２とは鳩目構造の孔部を通して着脱自在に係合される。
【００２１】
軒樋８は、その前耳部８１を吊支部本体２１の前耳掛止部２１１に掛止され、その後耳部８２を吊支部本体２１の後耳掛止部２１２に掛止され、このようにして吊支部本体２１に吊持される。上記前耳掛止部２１１と後耳掛止部２１２とは補強部２２によって補強され、上記のように構成された軒樋吊り具Ａによって、軒樋８はしっかりと吊り下げ支持される。
【００２２】
図３は、図２に示すクリップ部材６を拡大して示す斜視図である。図３に示すように、上記クリップ部材６は、略Ｌ字形のベース部６１と上記係止片４１と着脱自在に係合するフック部６２と雨水飛散防止シート５の上部と着脱自在に係合するＬ字形の突出係止部６３とから構成される。
【００２３】
図４は、上記クリップ部材６のフック部６２と上記垂下水切り部４の下端に設けられた係止片４１とを、また、雨水飛散防止シート５の上部５１に設けられた係止孔５１１と突出係止部６３とを着脱自在に係合した状態を示す説明図である。図４に示すように、軒先部から軒樋８の内部に向けて垂下された垂下水切り部４の下端の係止片４１は、上記フック部６２と鉤結合によってしっかりと係合するとともに、上記突出係止部６３は、雨水飛散防止シート５の上部５１に設けられた鳩目構造の係止孔５１１に着脱自在に係合する。
【００２４】
図５は上記軒樋吊り具Ａを、鼻隠し板７に一定間隔、例えば、９０ｃｍピッチで設けたとき、軒樋吊り具Ａどうしの間における本願発明の軒樋水切り構造を示す部分断面側面図である。このとき、上記柔軟性シート５は、吊支部本体２１の係止部３によって支持されることがないため、単にクリップ部材６の突出係止部６３によって吊り下げ支持されて重力により垂れ下がる。かくして、クリップ部材６を介して垂下水切り部４に係合された柔軟性シート５とは、軒下と軒樋８の屋内側との空間を覆うことができる。
【００２５】
図６は、雨水飛散防止シート５として合成樹脂製で、柔軟性と共に伸縮性のあるネット体５ａを用いたとき、そのネット体５ａを軒樋吊り具Ａの吊支部本体２１の上面に設けられた係止部３に係止した状態を拡大して示す説明図である。図６には、ネット体５ａの網目が係止部３に容易に係止できることが示されている。なお、クリップ部材６の突出係止部６３にもネット体５ａの網目が上記鳩目構造の係止孔５１１として係合し、図６に示す場合と同様にネット体５ａの上部を着脱自在に係止することができる。
【００２６】
以上述べたように、軒先の長手方向全体に沿って設けられた本願発明にかかる軒樋水切り構造は、軒樋８と軒先との間の全長に亘って、暴風雨時における横殴りの雨や軒樋から跳ね返った雨水等が鼻隠し板７の表面に飛散したり、その裏面に浸入することを防ぎ、鼻隠し板７等に湿気による傷みや腐食が生じることを防ぐのである。
【００２７】
なお、ネット体５ａが軒樋吊支部２の吊支部本体２１で支持されている部分の該ネット体５ａの両サイドに切り込みを入れ、ネット体５ａの他の部分が垂れ下がり易いようにしてもよい。また、網目構造のみならず、穿孔構造としてもよい。このように、本願発明は設計変更自在であり、特許請求の範囲を逸脱しない限り、本願発明の技術的範囲に属する。
【図面の簡単な説明】
【００２８】
【図１】本願発明の軒樋水切り構造に係る軒樋吊り具を示す斜視図。
【図２】本願発明に係る軒樋水切り構造を示す部分断面側面図。
【図３】図２に示すクリップ部材を拡大して示す斜視図。
【図４】クリップ部材を介して垂下水切り部の下端と柔軟性シートの上部に設けられた係止孔とを着脱自在に係合した状態を示す説明図。
【図５】本願発明に係る軒樋吊り具を鼻隠し板に一定間隔で設けたとき、軒樋吊り具どうしの間における本願発明の軒樋水切り構造を示す部分断面側面図。
【図６】本願発明の軒樋水切り構造に係るネット体を吊支部本体の上面に設けられた係止部に係止した状態を拡大して示す説明図。
【符号の説明】
【００２９】
Ａ      本願発明にかかる軒樋吊り具
１      固定板部
１１    固定用ビス孔
２      軒樋吊支部
２１    吊支部本体
２１１  前耳掛止部
２１２  後耳掛止部
２２    補強部
３      係止部
４      垂下水切り部
４１    係止片
５      雨水飛散防止シート
５ａ    ネット体
５１    上部
５１１  係止孔
５２    略中央部
６      クリップ部材
６１    ベース部
６２    フック部
６３    突出係止部
７      鼻隠し板
８      軒樋
８１    前耳部
８２    後耳部
９      ビス
【図１】
0004893614.tif 000002
【図２】
0004893614.tif 000003
【図３】
0004893614.tif 000004
【図４】
0004893614.tif 000005
【図５】
0004893614.tif 000006
【図６】
0004893614.tif 000007